(57)【要約】【課題】シャワー冷却時のキャップ内への水滴の混入を防ぎ、混入した水滴を排除し易く又は乾燥し易く、開閉トルクが比較的に低く使用し易く、流通や保存中に緩みにくく、また、樹脂量を削減可能な断続ネジ付キャップを提供する。【解決手段】容器の注出口部を螺着して封止するプラスチック製のキャップであって、キャップ１００の周壁１２０内周面に設ける雌ネジ１２１のネジ山に、最上方ネジから最下方ネジへ縦溝状の欠落箇所１２２を、周方向に等間隔で複数箇所に設ける。【選択図】図１
2004091023.tif 000002
【特許請求の範囲】
【請求項１】
容器の注出口部を螺着して封止するプラスチック製のキャップであって、前記キャップの周壁内周面に設ける雌ネジのネジ山に、最上方ネジから最下方ネジへ縦溝状の欠落箇所を、周方向に等間隔で複数箇所に設けたことを特徴とする断続ネジ付キャップ。
【発明の詳細な説明】
【０００１】
【発明の属する技術分野】
本発明は、液体内容物を高温充填したのちにシャワー冷却する容器、低トルクで開閉したい容器、樹脂量を削減したい容器などの注出口部に螺合して使用する断続ネジ付キャップに関するものである。
【０００２】
【従来の技術】
従来、液体用紙容器の注出位置に取り付けられたスパウト、パウチの注出位置に取り付けられたスパウト、プラスチックボトルの口頸部などに螺合して使用するキャップは、通常、周壁内周面に設ける雌ネジ部のネジ山が、上端から下端まで連続したものであった。
【０００３】
【発明が解決しようとする課題】
しかしながら、上述した従来のネジ山が上端から下端まで連続する連続ネジ付キャップにおいては、内容物を高温充填後にシャワー冷却するときに、キャップの周壁内周面と容器の注出口部の外周面との間に、減圧状態の発生により冷却シャワーの水滴が混入し、その混入した水滴が排出されず乾かずに残留することがあった。また、キャップを取り外すときの初期の開けトルクは大きいが、途中でトルクダウンすることがあり、流通や保管過程で振動や落下衝撃などによってキャップが緩むことなどがあった。
【０００４】
本発明は、上述の従来のキャップの問題を解決するものであり、シャワー冷却時のキャップ内への水滴の混入を防ぎ、混入した水滴を排除し易く又は乾燥し易く、開閉トルクが比較的に低く使用し易く、流通や保存中に緩みにくく、また、樹脂量を削減可能な断続ネジ付キャップを提供するものである。
【０００５】
【課題を解決するための手段】
すなわち、本発明は、容器の注出口部を螺着して封止するプラスチック製のキャップであって、前記キャップの周壁内周面に設ける雌ネジのネジ山に、最上方ネジから最下方ネジへ縦溝状の欠落箇所を、周方向に等間隔で複数箇所に設けたことを特徴とする断続ネジ付キャップである。
【０００６】
【作用】
本発明の断続ネジ付キャップを注出口部に螺着した容器は、液体内容物を高温充填したのちのシャワー冷却工程において、キャップの周壁内周面と容器の注出口部の外周面との間の空間の空気が冷却により収縮して減圧状態になり、キャップの周壁の下端と容器の注出口部との間隙から水滴が介在する空気を吸引しても、キャップの周壁内周面に設けられている雌ネジのネジ山に、最上方ネジから最下方ネジへ縦溝状の欠落箇所が周方向に等間隔で複数箇所に設けられているため、この縦溝状の欠落箇所を通過するときに、比重の違いから水滴より空気が上方へ吸い上げられやすく、混入した水滴もこの縦溝状の欠落箇所によって排除されやすく、また、乾燥されやすい。
【０００７】
また、本発明の断続ネジ付キャップは、雌ネジのネジ山に複数の欠落箇所があるため、容器の注出口部の雄ネジのネジ山との摺接面積が少なくなり、キャップの開閉トルクが比較的に低くなり、開けやすく閉めやすいキャップである。また、雌ネジのネジ山に欠落箇所があり、容器の注出口部の雄ネジのネジ山と断続的に接触して手で掌握するようにロックするため、流通や保存中に緩みにくい。また、雌ネジのネジ山に複数の欠落箇所を設けるので、使用する樹脂量を削減することができる。
【０００８】
【発明の実施の形態】
次に、本発明の断続ネジ付キャップの実施の形態について、図を用いて詳細に説明する。
図１（ａ）は、本発明の一実施形態の断続ネジ付キャップの断面図であり、図１（ｂ）は、そのＡ−Ａ’矢視底面図である。図２は、図１（ａ）の断続ネジ付キャップをスパウトに螺着した口栓の断面図であり、図３は、図１（ａ）の断続ネジ付キャップを頂部傾斜板に突設する液体用紙容器の斜視図である。
【０００９】
一実施形態の本発明の断続ネジ付キャップは、液体内容物を高温充填したのちにシャワー冷却する容器の注出口部に螺着するキャップであり、例えば、図３に示すように、胴部（２１）の外観が四角柱状の液体用紙容器（２０）の頂部傾斜板（２２）に、超音波シール法などで内付け又は外付けで熱融着して突設するスパウト（２００）（注出口部）に螺合させて、口栓（１０）として使用するものである。このキャップ（１００）の構造は、図２に示すように、天板（１１０）下面にスパウト（２００）の注出筒（２２０）の口部（上端部）を封止するためのコンタクト封止リング（１１１）（先端を口部の天面に密接）やインナー封止リング（１１２）（内周面を口部の内周面に密接）を設けるものであり、そして、図１（ａ）及び（ｂ）に示すように、周壁（１２０）の内周面に設けるスパウトの雄ネジと螺合する雌ネジ（１２１）のネジ山に、最上方ネジから最下方ネジへ縦溝状の欠落箇所（１２２）を周方向に等間隔で複数箇所、例えば６箇所に設けるものである。また、スパウト（２００）の構造は、図２に示すように、下端外周に容器と熱融着するフランジ（２４０）を周設する環状台座部（２１０）の上面内周縁部に、外周面にキャップ（１００）との雄ネジ（２２１）をもつ注出筒（２２０）を立設し、この注出筒の内側下方を封鎖板（２３０）を設けて封鎖し、この封鎖板の下面に垂直断面がＶ字状の環状切込み（２３１）を設けて下面の開口予定位置に環状薄肉脆弱線（２３２）を形成し、環状切込みの内側近傍の上面の一側に、先端にプルリング（２３４）を接続する支柱（２３３）を立設するものである。
【００１０】
なお、発明者らは、シャワー冷却時のキャップの周壁内周面とスパウト外周面との間への水滴の混入状態に関して、上述の断続ネジ付キャップをスパウトに螺着した口栓と従来の連続ネジ付キャップをスパウトに螺着した口栓とにつて比較評価を行った。断続ネジ付キャップと連続ネジ付キャップとは、ネジ山の欠落箇所の有無だけ異なるものであり、キャップの外径は、２４．４ｍｍで、高さは、１６ｍｍで、断続ネジ付キャップの欠落箇所の幅は、２ｍｍであった。評価方法は、まず、口栓を９０℃の湯上にキャップの下端まで浸漬して１分間正立放置し、次に、１５℃の水道蛇口シャワーで、約１０リットル／ｍｉｎの量で１０分間冷却したのち、キャップの周壁内周面とスパウト外周面との間への水滴の混入状態を調べるものである。この評価結果を表１に示す。なお、キャップの周壁下端とスパウトの環状台座部上面との隙間は、０．０ｍｍ、０．１ｍｍ、０．３ｍｍの３段階で行った。
【００１１】
【表１】
2004091023.tif 000003
【００１２】
評価結果は、表１に示すように、本発明の断続ネジ付キャップは、キャップ下の隙間を０．３ｍｍ以下にすれば、ネジ中間部より上方へは水滴の混入を避けることができる。一方、従来の連続ネジ付キャップでは、キャップ下の隙間を０．３ｍｍ以下にしても、ネジ上部に水滴の混入するものがあった。
【００１３】
次に、シャワー冷却時のキャップの周壁内周面とスパウト外周面との間への混入した水滴の乾燥状態に関して、上述の断続ネジ付キャップをスパウトに螺着した口栓と従来の連続ネジ付キャップをスパウトに螺着した口栓とにつて比較評価を行った。評価方法は、水滴をスパウトの中央部に２滴落としてキャップをし、室温が昼間２２℃、夜間１７℃、湿度が昼間４５〜５５％、夜間５５〜６０％の室内に放置して、水滴の乾燥状態を調べるものである。この評価結果を表２に示す。
【００１４】
【表２】
2004091023.tif 000004
【００１５】
評価結果は、表２に示すように、本発明の断続ネジ付キャップは、キャップ下の隙間の大きさに関係なく２４時間後には水滴が完全に乾燥し、隙間が０．３ｍｍでは１２時間後には水滴が完全に乾燥した。一方、従来の連続ネジ付キャップでは、キャップ下の隙間の大きさが０．３ｍｍでも水滴の完全乾燥が３０時間かかり、キャップ下の隙間が０，０ｍｍ（隙間無し）の場合には、７２時間でも水滴は完全乾燥しなかった。
【００１６】
なお、本発明の断続ネジ付キャップは、上述した液体用紙容器の注出位置に取り付けられたスパウトに螺着して使用するだけでなく、軟質包装材料のパウチの注出位置に取り付けられたスパウトに螺着して使用してもよく、また、プラスチックボトルの口頸部に螺着して使用することもできる。
【００１７】
【発明の効果】
本発明の断続ネジ付キャップは、雌ネジのネジ山に最上方ネジから最下方ネジへ縦溝状の欠落箇所が周方向に等間隔で複数箇所に設けられており、この欠落箇所の作用効果により、シャワー冷却時のキャップ内への水滴の混入を防ぎ、混入した水滴を排除し易く、また、混入した水滴が乾燥しやすい。
【００１８】
また、本発明の断続ネジ付キャップは、雌ネジのネジ山に欠落箇所が複数箇所設けられているため、開閉トルクが比較的に低くなり、使用時の螺脱又は螺着がしやすく、しかも、流通や保存中に緩みにくく、また、キャップの樹脂量を削減することができる。
【図面の簡単な説明】
【図１】（ａ）は、本発明の一実施形態の断続ネジ付キャップの断面図であり、（ｂ）は、そのＡ−Ａ’矢視底面図である。
【図２】図１に示す断続ネジ付キャップを、スパウトに螺着した口栓の断面図である。
【図３】図２に示す口栓を、頂部傾斜板に突設する液体用紙容器の斜視図である。
【符号の説明】
２０……液体用紙容器
２１……胴部
２２……頂部傾斜板
１００……キャップ
１１０……天板
１１１……コンタクト封止リング
１１２……インナー封止リング
１２０……周壁
１２１……雌ネジ
１２２……欠落箇所
２００……スパウト
２１０……環状台座部
２２０……注出筒
２２１……雄ネジ
２３０……封鎖板
２３１……環状切込み
２３２……環状薄肉脆弱線
２３３……支柱
２３４……プルリング
２４０……フランジ
【図１】
2004091023.tif 000005
【図２】
2004091023.tif 000006
【図３】
2004091023.tif 000007